【手続補正書】
【提出日】平成24年2月16日(2012.2.16)
【手続補正１】
【補正対象書類名】明細書
【補正対象項目名】００１０
【補正方法】変更
【補正の内容】
【００１０】
本発明の目的は、所定のサンプリング周期で順次サンプリングされた原波形データが記憶された原波形データ記憶手段と、前記所定のサンプリング周期で順次供給される入力波形データを入力する入力手段と、前記入力手段に入力波形データが供給される度に、当該供給された入力波形データ及びそれ以前に供給された複数の入力波形データに基づいて、これら入力波形データの変化に対応する値を算出する算出手段と、前記入力手段から入力波形データが供給される度に、当該供給された入力波形データに対応する原波形データより以前にサンプリングされた複数の原波形データを前記原波形データ記憶手段から読み出す読み出し手段と、前記算出手段により算出された値と、前記読み出された原波形データとに基づいて、出力すべき新たな出力波形データを生成して出力する出力波形データ生成手段と、を備えたことを特徴とする効果音発生装置により達成される。
好ましい実施態様においては、前記算出手段は、供給された入力波形データ及びそれ以前に供給された複数の入力波形データに基づいて、これら入力波形データの変化の加速度を算出する。
【手続補正２】
【補正対象書類名】明細書
【補正対象項目名】００１１
【補正方法】変更
【補正の内容】
【００１１】
好ましい実施態様においては、前記算出手段は、現在時刻ｔにおける加速度Ａ（ｔ）が、当該現在時刻ｔにおける出力波形データＸ（ｔ）の加速度となるように、前記加速度Ａ（ｔ）、過去の原波形データｇ（ｔ−ｔ１）およびｇ（ｔ−ｔ２）（ｔ１＜ｔ２）に基づいて、前記出力波形データＸ（ｔ）を算出するように構成されている。
【手続補正３】
【補正対象書類名】明細書
【補正対象項目名】００１５
【補正方法】変更
【補正の内容】
【００１５】
また、好ましい実施態様においては、前記出力波形データ生成手段が、出力波形データが発音開始してから所定のタイミングに至るまで、前記算出手段により算出された値と、前記読み出された原波形データとに基づいて生成された波形データを、新たな出力波形データとして出力し、前記所定のタイミングが到来した後に、原波形データを新たな出力波形データとして出力する。
【手続補正４】
【補正対象書類名】明細書
【補正対象項目名】００１６
【補正方法】変更
【補正の内容】
【００１６】
別の好ましい実施態様においては、前記入力波形データのピッチを抽出するピッチ抽出手段を備え、
前記出力波形データ生成手段が、出力波形データが発音開始してから所定のタイミングに至るまで、前記算出手段により算出された値と、前記読み出された原波形データとに基づいて生成された波形データを、新たな出力波形データとして出力し、前記所定のタイミングが到来した後に、前記原波形データ記憶手段に記憶された原波形データを前記抽出されたピッチにしたがって読み出すことにより得られた波形データを新たな出力波形データとして出力する。
【手続補正５】
【補正対象書類名】明細書
【補正対象項目名】００１７
【補正方法】変更
【補正の内容】
【００１７】
また、別の好ましい実施態様においては、前記算出手段は、供給された入力波形データ及びそれ以前に供給された複数の入力波形データに基づいて、これら入力波形データの変化の加々速度を算出することを特徴とする。
【手続補正６】
【補正対象書類名】明細書
【補正対象項目名】００２２
【補正方法】変更
【補正の内容】
【００２２】
また、好ましい実施態様においては、前記出力波形データ生成手段が、出力波形データが発音開始してから所定のタイミングに至るまで、前記算出手段により算出された値と、前記読み出された原波形データとに基づいて生成された波形データを、新たな出力波形データとして出力し、前記所定のタイミングが到来した後に、原波形データを新たな出力波形データとして出力する。
【手続補正７】
【補正対象書類名】明細書
【補正対象項目名】００２３
【補正方法】変更
【補正の内容】
【００２３】
別の好ましい実施態様においては、前記入力波形データのピッチを抽出するピッチ抽出手段を備え、
前記出力波形データ生成手段が、出力波形データが発音開始してから所定のタイミングに至るまで、前記算出手段により算出された値と、前記読み出された原波形データとに基づいて生成された波形データを、新たな出力波形データとして出力し、前記所定のタイミングが到来した後に、前記原波形データ記憶手段に記憶された原波形データを前記抽出されたピッチにしたがって読み出すことにより得られた波形データを新たな出力波形データとして出力する。
【手続補正８】
【補正対象書類名】特許請求の範囲
【補正対象項目名】全文
【補正方法】変更
【補正の内容】
【特許請求の範囲】
【請求項１】
所定のサンプリング周期で順次サンプリングされた原波形データが記憶された原波形データ記憶手段と、
前記所定のサンプリング周期で順次供給される入力波形データを入力する入力手段と、
前記入力手段に入力波形データが供給される度に、当該供給された入力波形データ及びそれ以前に供給された複数の入力波形データに基づいて、これら入力波形データの変化に対応する値を算出する算出手段と、
前記入力手段から入力波形データが供給される度に、当該供給された入力波形データに対応する原波形データより以前にサンプリングされた複数の原波形データを前記原波形データ記憶手段から読み出す読み出し手段と、
前記算出手段により算出された値と、前記読み出された原波形データとに基づいて、出力すべき新たな出力波形データを生成して出力する出力波形データ生成手段と、
を備えたことを特徴とする効果音発生装置。
【請求項２】
前記算出手段は、供給された入力波形データ及びそれ以前に供給された複数の入力波形データに基づいて、これら入力波形データの変化の加速度を算出する、請求項１記載の効果音発生装置。
【請求項３】
前記算出手段は、現在時刻ｔにおける加速度Ａ（ｔ）が、当該現在時刻ｔにおける出力波形データＸ（ｔ）の加速度となるように、前記加速度Ａ（ｔ）を、過去の原波形データｇ（ｔ−ｔ１）およびｇ（ｔ−ｔ２）（ｔ１＜ｔ２）に基づいて算出することを特徴とする請求項２に記載の効果音発生装置。
【請求項４】
前記出力波形データ生成手段が、
Ｘ（ｔ）＝Ａ（ｔ）・Δｔ２＋２ｇ（ｔ−１）−ｇ（ｔ−２）
（Δｔは波形データのサンプリング周期）
に基づいて、出力波形データＸ（ｔ）を算出することを特徴とする請求項３に記載の効果音発生装置。
【請求項５】
前記出力波形データ生成手段が、時刻ｔがｎ・Δｔ（ｎは予め定められた定数）の倍数であるときに、
Ｘ（ｔ）＝Ａ（ｔ）・Δｔ２＋２ｇ（ｔ−１）−ｇ（ｔ−２）
（Δｔは波形データのサンプリング周期）
時刻ｔがｎ・Δｔの倍数ではないときに、
Ｘ（ｔ）＝ｇ（ｔ）
に基づいて、出力波形データＸ（ｔ）を算出することを特徴とする請求項３に記載の効果音発生装置。
【請求項６】
前記出力波形データ生成手段が、
Ｘ（ｔ）＝Ａ（ｔ）・Ｔ２＋２ｇ（ｔ−ｎ）−ｇ（ｔ−２ｎ）
（Ｔ＝ｎ・Δｔ、Δｔは波形データのサンプリング周期、ｎは予め定められた定数）
に基づいて、出力波形データＸ（ｔ）を算出することを特徴とする請求項３に記載の効果音発生装置。
【請求項７】
前記出力波形データ生成手段が、出力波形データが発音開始してから所定のタイミングに至るまで、前記算出手段により算出された値と、前記読み出された原波形データとに基づいて生成された波形データを、新たな出力波形データとして出力し、前記所定のタイミングが到来した後に、原波形データを新たな出力波形データとして出力することを特徴とする請求項２ないし６の何れか一項に記載の効果音発生装置。
【請求項８】
前記入力波形データのピッチを抽出するピッチ抽出手段を備え、
前記出力波形データ生成手段が、出力波形データが発音開始してから所定のタイミングに至るまで、前記算出手段により算出された値と、前記読み出された原波形データとに基づいて生成された波形データを、新たな出力波形データとして出力し、前記所定のタイミングが到来した後に、前記原波形データ記憶手段に記憶された原波形データを前記抽出されたピッチにしたがって読み出すことにより得られた波形データを新たな出力波形データとして出力することを特徴とする請求項２ないし６の何れか一項に記載の効果音発生装置。
【請求項９】
前記算出手段は、供給された入力波形データ及びそれ以前に供給された複数の入力波形データに基づいて、これら入力波形データの変化の加々速度を算出する、請求項１記載の効果音発生装置。
【請求項１０】
前記算出手段は、現在時刻ｔにおける加々速度Ｐ（ｔ）が、当該現在時刻ｔにおける出力波形データＸ（ｔ）の加速度となるように、前記加々速度Ｐ（ｔ）を、過去の原波形データｇ（ｔ−ｔ１）、ｇ（ｔ−ｔ２）およびｇ（ｔ−ｔ３）（ｔ１＜ｔ２＜ｔ３）に基づいて算出することを特徴とする請求項９に記載の効果音発生装置。
【請求項１１】
前記出力波形データ生成手段が、
Ｘ（ｔ）＝Ｐ（ｔ）・Δｔ３＋３ｇ（ｔ−１）−３ｇ（ｔ−２）＋ｇ（ｔ−３）
（Δｔは波形データのサンプリング周期）
に基づいて、出力波形データＸ（ｔ）を算出することを特徴とする請求項１０に記載の効果音発生装置。
【請求項１２】
前記出力波形データ生成手段が、時刻ｔがｎ・Δｔ（ｎは予め定められた定数）の倍数であるときに、
（Δｔは波形データのサンプリング周期）
時刻ｔがｎ・Δｔの倍数ではないときに、
Ｘ（ｔ）＝ｇ（ｔ）
に基づいて、出力波形データＸ（ｔ）を算出することを特徴とする請求項１０に記載の効果音発生装置。
【請求項１３】
前記出力波形データ生成手段が、
Ｘ（ｔ）＝Ｐ（ｔ）・Ｔ３＋３ｇ（ｔ−ｎ）−３ｇ（ｔ−２ｎ）＋ｇ（ｔ−３ｎ）
（Ｔ＝ｎ・Δｔ、Δｔは波形データのサンプリング周期、ｎは予め定められた定数）
に基づいて、出力波形データＸ（ｔ）を算出することを特徴とする請求項１０に記載の効果音発生装置。
【請求項１４】
前記出力波形データ生成手段が、出力波形データが発音開始してから所定のタイミングに至るまで、前記算出手段により算出された値と、前記読み出された原波形データとに基づいて生成された波形データを、新たな出力波形データとして出力し、前記所定のタイミングが到来した後に、原波形データを新たな出力波形データとして出力することを特徴とする請求項９ないし１３の何れか一項に記載の効果音発生装置。
【請求項１５】
前記入力波形データのピッチを抽出するピッチ抽出手段を備え、
前記出力波形データ生成手段が、出力波形データが発音開始してから所定のタイミングに至るまで、前記算出手段により算出された値と、前記読み出された原波形データとに基づいて生成された波形データを、新たな出力波形データとして出力し、前記所定のタイミングが到来した後に、前記原波形データ記憶手段に記憶された原波形データを前記抽出されたピッチにしたがって読み出すことにより得られた波形データを新たな出力波形データとして出力することを特徴とする請求項９ないし１３の何れか一項に記載の効果音発生装置。